(57)【要約】【課題】記録品位を向上させることができ、ニアエンドの検出精度を向上させることができるようにする。【解決手段】ロールＲをセットするための支持部と、該支持部に隣接させて移動自在に配設され、移動に伴って当接部３５ａをロールＲの側面に当接させる移動部材と、該移動部材の移動に伴ってロール紙のニアエンドを検出するための検出部とを有する。この場合、当接部３５ａがロールＲの側面に当接させられ、移動部材の移動に伴ってロール紙のニアエンドが検出されるので、記録面に常に移動部材が当接されることがなくなる。したがって、記録面に傷、汚れ、圧痕（こん）等が付くことがなくなり、記録品位を向上させることができる。【選択図】          図１
2004181768.tif 000002
【特許請求の範囲】
【請求項１】
（ａ）ロール紙のロールをセットするための支持部と、
（ｂ）該支持部に隣接させて移動自在に配設され、移動に伴って当接部をロールの側面に当接させる移動部材と、
（ｃ）該移動部材の移動に伴ってロール紙のニアエンドを検出するための検出部とを有することを特徴とする記録装置。
【請求項２】
前記移動部材は、揺動自在に配設され、ロール紙のニアエンドに伴って傾きが変化する請求項１に記載の記録装置。
【請求項３】
（ａ）揺動自在に配設され、ロールのセットに伴って回動させられる揺動部材を有するとともに、
（ｂ）前記移動部材は、前記揺動部材の揺動に伴って移動させられる請求項１に記載の記録装置。
【請求項４】
（ａ）前記揺動部材の揺動に伴って揺動させられる中間部材を有するとともに、
（ｂ）前記移動部材と中間部材との間にトーションスプリングが配設される請求項３に記載の記録装置。
【発明の詳細な説明】
【０００１】
【発明の属する技術分野】
本発明は、記録装置に関するものである。
【０００２】
【従来の技術】
従来、プリンタ、複写機、ファクシミリ装置等の記録装置においては、媒体としてシート紙、ロール紙等を使用することができるようになってる。そして、例えば、ロール紙を使用し、ロール紙に対して印刷を行い、レシートを発行することができるようにしたレシートプリンタ装置等の記録装置においては、ロール紙が繰り出されて印刷部に送られ、該印刷部において印刷が行われる。
【０００３】
そして、ロール紙の残量が少なくなったときに、ニアエンドを検出することができるように、ニアエンド検出装置が配設される。該ニアエンド検出装置においては、ロール紙のロールの外周面にレバー、ローラ等が接触させられ、ロール紙の残量に応じて外径が小さくなるのに伴うレバー、ローラ等の動きを検出し、ニアエンドを検出するようにしている（例えば、特許文献１参照。）。
【０００４】
図２は従来のレシートプリンタ装置の概念図である。
【０００５】
図において、１０は繰出部、１１は一方の面が感熱面を構成する感熱紙から成るロール紙、１２はロール紙１１のロールＲを支持するコア、２４は繰出部１０から繰り出されたロール紙１１に対して印刷を行う印刷部であり、該印刷部２４は、ロール紙１１の感熱面と対向させて配設された印刷ヘッド２５、及びロール紙１１の裏面と対向させて配設され、印刷ヘッド２５と共にロール紙１１を挟むプラテン２６を備える。また、２８は支点Ｓｈ１を揺動中心にして揺動自在に配設された検出レバーであり、該検出レバー２８は、スプリング２２の付勢力によって当接部２８ａを前記ロールＲの外周面に対して押し当てて配設される。
【０００６】
前記検出レバー２８の検出部２８ｂに対応させてホトセンサ１９が配設され、該ホトセンサ１９は図示されない発光部及び受光部を備え、ロールＲの初期状態においては発光部及び受光部のセンサ光軸が検出部２８ｂによって遮光される。ロール紙１１が繰り出されるのに伴って、ロールＲの径が小さくなり、検出レバー２８が図における反時計回りに回転させられる。そして、ロール紙１１の残量が少なくなると、検出部２８ｂがセンサ光軸から外れ、センサ光軸が遮光されなくなり、ホトセンサ１９のセンサ出力が変化する。その結果、ニアエンドを検出することができる。
【０００７】
ところが、前記構成のニアエンド検出装置においては、ロール紙１１は記録面としての感熱面を外側に向けて巻かれているので、感熱面に常に検出レバー２８が当接されることになるので、感熱面に傷、汚れ、圧痕（こん）等が付いてしまい、記録品位が低下してしまう。そこで、検出レバー２８が感熱面に当接されないようにしたニアエンド検出装置について説明する。
【０００８】
図３は従来の他のレシートプリンタ装置の概念図、図４は従来の他のレシートプリンタ装置の要部を示す側面図である。
【０００９】
図において、１０は繰出部、１１はロール紙、１２はロール紙のロールＲを支持するコア、２２はロールＲを回転自在に支持するフレーム、２４は繰出部１０から繰り出されたロール紙１１に対して印刷を行う印刷部であり、該印刷部２４は、印刷ヘッド２５及びプラテン２６を備える。また、５１は前記フレーム２２の所定の箇所に配設されたホトセンサであり、該ホトセンサ５１は発光部５２及び受光部５３を備え、ロールＲの初期状態においては発光部５２及び受光部５３のセンサ光軸がロールＲによって遮光される。ロール紙１１が繰り出されるのに伴って、ロールＲの径が小さくなると、センサ光軸が遮光されなくなり、ホトセンサ５１のセンサ出力が変化する。その結果、ニアエンドを検出することができる。
【００１０】
【特許文献１】
特開平９−２５４４７４号公報
【００１１】
【発明が解決しようとする課題】
しかしながら、前記従来のニアエンド検出装置においては、セットされたロールＲの回転に伴って、ロールＲがバウンドしたり、浮き上がったりすると、ホトセンサ５１の検出精度に影響が与えられてしまう。したがって、ホトセンサ５１のニアエンドの検出精度が低くなってしまう。
【００１２】
本発明は、前記従来のニアエンド検出装置の問題点を解決して、記録品位を向上させることができ、ニアエンドの検出精度を向上させることができる記録装置を提供することを目的とする。
【００１３】
【課題を解決するための手段】
そのために、本発明の記録装置においては、ロール紙のロールをセットするための支持部と、該支持部に隣接させて移動自在に配設され、移動に伴って当接部をロールの側面に当接させる移動部材と、該移動部材の移動に伴ってロール紙のニアエンドを検出するための検出部とを有する。
【００１４】
【発明の実施の形態】
以下、本発明の実施の形態について図面を参照しながら詳細に説明する。なお、この場合、記録装置としてレシートプリンタ装置について説明する。
【００１５】
図５は本発明の実施の形態におけるレシートプリンタ装置の概念図、図６は本発明の実施の形態におけるニアエンド検出装置の要部を示す正面図、図７は本発明の実施の形態におけるニアエンド検出装置の要部を示す側面図である。
【００１６】
図において、１０は装填（てん）部としての繰出部、１１は一方の面が感熱面を構成する感熱紙から成るロール媒体としてのロール紙、１２はロール紙１１のロールＲを支持するコアであり、ロールＲの両端の端面より所定の量だけ突出させられる。１３はロールＲを回転自在に支持する支持筐（きょう）体としてのフレーム、２４は繰出部１０から繰り出されたロール紙１１に対して印刷（記録）を行う記録部としての印刷部であり、該印刷部２４は、ロール紙１１の記録面としての感熱面と対向させて配設された印刷ヘッド２５、及びロール紙１１の裏面と対向させて配設され、印刷ヘッド２５と共にロール紙１１を挟むプラテン２６を備える。
【００１７】
前記フレーム１３の所定の箇所に、前記ロールＲをセットするための凹部１３ａが形成され、該凹部１３ａによって支持面１３ｂが形成される。また、前記フレーム１３の凹部１３ａに対応させて、前記ロールＲをセットするための揺動部材としての第１のレバー３３が、軸３３ｃを中心にして矢印Ａ方向に揺動自在に配設される。前記第１のレバー３３は、上方が開放された凹部３３ａを備え、ほぼ「コ」字状の形状を有する。なお、前記凹部３３ａにおける所定の部分に、前記コア１２がセットされたときに、コア１２と当接する当接部３３ｂがわずかに突出させて形成される。そして、前記凹部１３ａ、３３ａによって、ロールＲをセットするための支持部が構成される。
【００１８】
また、前記フレーム１３の所定の位置に、ブラケットＢ１が取り付けられ、該ブラケットＢ１に更にブラケットＢ２が取り付けられ、該ブラケットＢ２の突出片５１に対していずれも断面が「コ」字状の第２、第３のレバー３４、３５が軸３４ａを中心にして矢印Ｂ方向に揺動自在に配設される。なお、第２のレバー３４は、第３のレバー３５を包囲して形成され、第２のレバー３４の所定の箇所に、前記第１のレバー３３に形成された押圧部３３ｅと当接自在に被押圧部３４ｂが突出させて形成される。
【００１９】
そして、前記軸３４ａを包囲して、第３のレバー３５と第２のレバー３４との間にトーションスプリング１８が配設される。すなわち、該トーションスプリング１８は、一方の端部１８ａを第２のレバー３４に、他方の端部１８ｂを第３のレバー３５に押し付けて配設され、所定の付勢力で第３のレバー３５を第２のレバー３４に押し付ける。したがって、外力が加わらない限り、第２、第３のレバー３４、３５は、一体的に回動させられる。なお、第３のレバー３５は、前記凹部１３ａ、３３ａに隣接させて移動自在に配設され、第１のレバー３３の揺動に伴って移動させられる移動部材を構成する。
【００２０】
また、前記第２のレバー３４は、軸３４ａを中心にしたときの前記被押圧部３４ｂと反対側（点対称の位置）において、スプリング２１を介してブラケットＢ２と接続され、前記スプリング２１は、第２のレバー３４を図７における反時計回り方向に所定の付勢力で付勢し、これに伴って、前記第１のレバー３３を図６おける時計回り方向に付勢する。なお、前記第２のレバー３４によって、前記第１のレバー３３の揺動に伴って揺動させられる中間部材が構成される。
【００２１】
そして、前記第３のレバー３５は、前記第２のレバー３４より長く形成され、前記軸３４ａから上方に向けて延び、先端（上端）にニアエンド検出用の当接部３５ａが形成される。また、前記軸３４ａから下方に向けてわずかに延び、先端（下端）に、検出部としてのホトセンサ１９の光軸を選択的に遮る被検出体としての遮光部３５ｂを備える。したがって、前記第３のレバー３５の移動に伴って、ロール紙１１のニアエンドを検出することができる。なお、前記フレーム１３、ホトセンサ１９、第１〜第３のレバー３３〜３５等によってニアエンド検出装置が構成される。
【００２２】
次に、前記構成のニアエンド検出装置の動作について説明する。
【００２３】
図１は本発明の実施の形態におけるニアエンド検出装置の動作を示す第１の図、図８は本発明の実施の形態におけるニアエンド検出装置の動作を示す第２の図、図９は本発明の実施の形態におけるニアエンド検出装置の動作を示す第３の図、図１０は本発明の実施の形態におけるニアエンド検出装置を示す第４の図である。
【００２４】
まず、ロールＲを繰出部１０（図５）にセットするために、コア１２を凹部１３ａ、３３ａ内に進入させると、コア１２の外周面が支持面１３ｂと当接部３３ｂとの間に進入し、これに伴って、前記スプリング２１の付勢力に抗して、第１のレバー３３が、軸３３ｃを中心にして図６における反時計回り方向に回動させられ、押圧部３３ｅが被押圧部３４ｂに当接させられ、第２のレバー３４が、軸３４ａを中心にして図７における時計回り方向に回動させられる。
【００２５】
ところで、前述されたように、第２のレバー３４と第３のレバー３５とはトーションスプリング１８によって連結されているので、第２のレバー３４が図７における時計回り方向に回動させられるのに伴って、第３のレバー３５も、図８及び１の破線で示される状態から図１の実線で示される状態になるように同様に回動させられ、図１及び９に示されるように、当接部３５ａがロールＲの側面に当接する。これに伴って、図９に示されるように、第３のレバー３５の遮光部３５ｂはホトセンサ１９の光軸を遮る。これによって、ロールＲがセットされたことが検出される。
【００２６】
なお、１９ａはホトセンサ１９の発光素子としてのホトダイオードであり、該ホトダイオード１９ａ及び受光素子としての図示されないホトトランジスタによってホトセンサ１９が構成される。
【００２７】
その後、更にコア１２を下方に押し下げると、第１のレバー３３は更に図６における反時計回り方向に回動させられ、第２のレバー３４は更に図７における時計回り方向に回動させられる。この間、当接部３５がロールＲの側面に当接しているので、第２のレバー３４は、スプリング２１の付勢力及びトーションスプリング１８の付勢力に抗して更に図７における時計回り方向に回動させられる。そして、所定の位置においてコア１２は停止させられ、ロールＲは、図６に示されるように、凹部１３ａ、３３ａの底部からわずかに浮いた状態でフレーム１３に対して支持される。このとき、コア１２は、ロールＲのセット方向（図６における垂直方向）に対して、ほぼ直角の方向に支持面１３ｂ及び当接部３３ｂを押すので、セットされたロールＲの回転に伴って、ロールＲがバウンドしたり、浮き上がったりしても、第１のレバー３３を大きく回動させることがなく、ホトセンサ１９の検出精度に影響が与えられることがない。したがって、ホトセンサ１９によるロール紙１１のニアエンドの検出精度を高くすることができる。
【００２８】
ところで、前記印刷部２４において印刷が行われるのに伴って、ロール紙１１が繰り出されると、ロールＲの外径が徐々に小さくなり、ロールＲの外径がある値になると、第３のレバー３５はトーションスプリング１８の付勢力によって第２のレバー３４側に回動させられ、図７における時計回り方向に回動させられ、図１０に示されるように、当接部３５ａがロールＲの側面から外れ、側面より内方に入る。これに伴って、第３のレバー３５が更に時計回り方向に回動させられて傾きが変化し、遮光部３５ｂはホトセンサ１９の光軸を遮らなくなる。これによって、ホトセンサ１９のセンサ出力が変化し、図示されない制御部は、ロール紙１１のニアエンドを検出する。
【００２９】
このように、本実施の形態においては、前記ニアエンドが検出されるまで、前記当接部３５ａはロールＲの側面に当接させられ、ニアエンドが検出された後は、図１０に示されるように、当接部３５ａより軸３４ａ側の部分がロールＲの角に当たるだけで、感熱面には第３のレバー３５のどの部分も当接されない。したがって、感熱面に傷、汚れ、圧痕等が付くのを防止することができ、記録品位を向上させることができる。
【００３０】
また、当接部３５ａによってロールＲの側面が押さえられるので、セットされたロールＲの回転に伴って、ロールＲがバウンドしたり、浮き上がったりするのを抑制することができる。したがって、ホトセンサ５１のニアエンドの検出精度を一層高くすることができる。
【００３１】
そして、ロールＲをセットする際にコア１２が所定の量だけ凹部１３ａ、３３ａ内に進入し、支持面１３ｂと当接部３３ｂとの間に進入した後、第１のレバー３３が回動させられ、第３のレバー３５が回動させられてフレーム１３より内側に突出させられ、当接部３５ａがロールＲの側面に当接させられるようになっているので、ロールＲをセットするのに伴って、第３のレバー３５の先端にロールＲの下端が当たり、第３のレバー３５が破損したり、ロール紙１１に傷を付けたりするのを防止することができる。
【００３２】
特に、使用途中の小さい径のロールＲをセットする場合においても、第３のレバー３５が感熱面に引っ掛かかることがなくなり、ロールＲがセット位置に到達しなくなるのを防止することができる。
【００３３】
また、ロールＲをセットする際に、フレーム１３より内側に突出させられた第３のレバー３５に操作者が触れることがなくなるので、第３のレバー３５が破損するのを防止することができる。
【００３４】
なお、本発明は前記実施の形態に限定されるものではなく、本発明の趣旨に基づいて種々変形させることが可能であり、それらを本発明の範囲から排除するものではない。
【００３５】
【発明の効果】
以上詳細に説明したように、本発明によれば、記録装置においては、ロール紙のロールをセットするための支持部と、該支持部に隣接させて移動自在に配設され、移動に伴って当接部をロールの側面に当接させる移動部材と、該移動部材の移動に伴ってロール紙のニアエンドを検出するための検出部とを有する。
【００３６】
この場合、移動部材の当接部がロールの側面に当接させられ、移動部材の移動に伴ってロール紙のニアエンドが検出されるので、記録面に常に移動部材が当接されることがなくなる。したがって、記録面に傷、汚れ、圧痕等が付くことがなくなり、記録品位を向上させることができる。
【００３７】
また、当接部によってロールの側面が押さえられるので、セットされたロールの回転に伴って、ロールがバウンドしたり、浮き上がったりするのを抑制することができる。したがって、ロール紙のニアエンドの検出精度を高くすることができる。
【図面の簡単な説明】
【図１】本発明の実施の形態におけるニアエンド検出装置の動作を示す第１の図である。
【図２】従来のレシートプリンタ装置の概念図である。
【図３】従来の他のレシートプリンタ装置の概念図である。
【図４】従来の他のレシートプリンタ装置の要部を示す側面図である。
【図５】本発明の実施の形態におけるレシートプリンタ装置の概念図である。
【図６】本発明の実施の形態におけるニアエンド検出装置の要部を示す正面図である。
【図７】本発明の実施の形態におけるニアエンド検出装置の要部を示す側面図である。
【図８】本発明の実施の形態におけるニアエンド検出装置の動作を示す第２の図である。
【図９】本発明の実施の形態におけるニアエンド検出装置の動作を示す第３の図である。
【図１０】本発明の実施の形態におけるニアエンド検出装置を示す第４の図である。
【符号の説明】
１１    ロール紙
１３    フレーム
１３ａ、３３ａ    凹部
１８    トーションスプリング
１９    ホトセンサ
３３〜３５    第１〜第３のレバー
３５ａ    当接部
Ｒ    ロール
【図１】
2004181768.tif 000003
【図２】
2004181768.tif 000004
【図３】
2004181768.tif 000005
【図４】
2004181768.tif 000006
【図５】
2004181768.tif 000007
【図６】
2004181768.tif 000008
【図７】
2004181768.tif 000009
【図８】
2004181768.tif 000010
【図９】
2004181768.tif 000011
【図１０】
2004181768.tif 000012